(57)【要約】      （修正有）【課題】強風時に傘が裏返るのを防止するために、簡易な構造で既存の傘に取付け自在な傘裏返りストッパを提供する。【解決手段】傘の中棒に巻き付け可能な固定紐１０と、傘の親骨と同じ本数で固定紐１０に対して等間隔をあけて固着されている引張紐１１と、固定紐１０に結合して固定紐１０を傘の中棒に固定可能な留め具１３と、を有し、引張紐１１の先端に、傘の露先に引っ掛け可能な係止部１２が備えられている傘裏返りストッパ１とする。【選択図】図２
0003226371.tif 000002
【実用新案登録請求の範囲】
【請求項１】
傘の中棒に巻き付け可能な固定紐と、
傘の親骨と同じ本数で前記固定紐に対して等間隔をあけて固着されている引張紐と、
前記固定紐に結合し前記固定紐を傘の中棒に固定可能な留め具と、を有し、
前記引張紐の先端に、傘の露先に引っ掛け可能な係止部が備えられていることを特徴とする傘裏返りストッパ。
【請求項２】
前記係止部が前記引張紐の先端に形成された輪部であることを特徴とする請求項１に記載の傘裏返りストッパ。
【請求項３】
前記係止部が樹脂製の板部材であって、
前記板部材は、前記引張紐の先端を結びつける連結孔と、傘の露先を挿入する挿通孔と、前記連結孔と前記挿通孔とを隔てて前記板部材の両面の面外方向に突出した仕切り部と、を有することを特徴とする請求項１に記載の傘裏返りストッパ。
【請求項４】
前記留め具が、Ｃ字型のフックであることを特徴とする請求項１から３のいずれかに記載の傘裏返りストッパ。
【請求項５】
前記留め具が、面ファスナーであることを特徴とする請求項１から３のいずれかに記載の傘裏返りストッパ。
【考案の詳細な説明】
【技術分野】
【０００１】
本考案は、強風によって傘が裏返ることを防止するための傘裏返りストッパに関する。
【背景技術】
【０００２】
近年は、ビニール傘などの安価な傘が広く使用される傾向が強くなっている。そのような安価な傘の親骨は、スチール製であることが多く、強風に煽られて傘が裏返ったときに、親骨が変形したり折れたりするといったことが起こりやすい。そして、そのようにして壊れた傘が、毎年大量に廃棄されている。
【０００３】
そこで、親骨にグラスファイバーを用いることで、親骨を折れにくくしたり、裏返ったとしても簡単に元に戻すことができるといった特徴を備えた傘が増えている。しかし、材質をよいものにすると、当然、価格が上がり、ビニール傘等に求められている価格の安さを実現することが難しくなる。
【０００４】
そこで、特許文献１に開示されているような、既存の傘に装着して傘の裏返りを防止できる傘裏返りストッパというものが考えられている。図５は、従来の傘裏返りストッパを傘に装着した状態を示す説明図である。この傘裏返りストッパ５０は、既存の傘２０に装着して傘が容易に裏返らないように予防するものであり、傘の中棒２１と露先２３とを引張紐５６で繋ぐものである。具体的には、それぞれの引張紐５６の一端と傘の露先２３をストッパ５５で結合し、引張紐５６の他端をまとめてゴム製の中央集結部５７で傘の中棒２１に固定する構成になっている。また、引張紐５６の余剰分が邪魔にならないように、余剰分をゴム製の余剰部ストッパ５８でさらにまとめて中棒２１に固定している。
【０００５】
このような傘裏返りストッパ５０であれば、傘本体に高い費用をかけずに傘が裏返るのを予防することができる。また、風が強いときだけ傘に装着して使用すればよいので、効率がよい。
【０００６】
しかし、このような構成の傘裏返りストッパ５０は、露先２３と中棒２１とを繋ぐ引張紐５６が親骨の数だけ別々に必要となるので、使用しない保管時に一部の部材が失われたり、また、傘へ装着する際に取り扱う部材がバラバラであることから、装着するのが困難であるといった問題がある。
【先行技術文献】
【特許文献】
【０００７】
【特許文献１】実用新案登録第３０９７１７６号
【考案の概要】
【考案が解決しようとする課題】
【０００８】
このような実情に鑑み、本考案は、簡易な構造で既存の傘に取付け自在な傘裏返りストッパを提供することを目的とする。
【課題を解決するための手段】
【０００９】
このような課題を解決するために、本考案の傘裏返りストッパは、傘の中棒に巻き付け可能な固定紐と、傘の親骨と同じ本数で固定紐に対して等間隔をあけて固着されている引張紐と、固定紐に結合して固定紐を傘の中棒に固定可能な留め具と、を有し、引張紐の先端に、傘の露先に引っ掛け可能な係止部が備えられていることとする。
【００１０】
ここで係止部が、引張紐の先端に形成された輪部であることにしてもよい。
【００１１】
また、係止部が樹脂製の板部材であって、その板部材は、引張紐の先端を結びつける連結孔と、傘の露先を挿入する挿通孔と、連結孔と挿通孔とを隔てて板部材の両面の面外方向に突出した仕切り部と、を有することにしてもよい。
【００１２】
さらに、留め具が、Ｃ字型のフックであったり、面ファスナーであったりしてもよい。
【考案の効果】
【００１３】
本考案の傘裏返りストッパは、簡易な構造で既存の傘に取付け自在であるので、手軽に傘の裏返りを防止することができるという効果を奏する。
【００１４】
さらに、係止部に板部材を用いることで、傘の裏返りを防止しつつ、雨水が傘裏返りストッパの引張紐を伝うのを防止し、手元や傘の内側が濡れるのを抑制することができる。
【図面の簡単な説明】
【００１５】
【図１】傘裏返りストッパの全体図である。
【図２】傘裏返りストッパを傘に装着した状態を示す斜視図である。
【図３】板部材の斜視図である。
【図４】板部材を有する傘裏返りストッパを傘に装着した状態を示す説明図である。
【図５】従来の傘裏返りストッパを傘に装着した状態を示す説明図である。
【考案を実施するための形態】
【００１６】
以下、本考案の実施の形態を添付図面を参照して説明する。
図１は、傘裏返りストッパの全体図である。また、図２は、傘裏返りストッパを傘に装着した状態を示す斜視図である。
【００１７】
傘裏返りストッパ１は、傘２０の中棒２１に巻き付け可能な固定紐１０と、その固定紐１０に対して等間隔をあけて固着されている引張紐１１と、固定紐１０に結合している留め具１３とを有している。引張紐１１は、傘の露先２３と中棒２１に固定されている固定紐１０とを繋いで、強風で傘２０が裏返りそうになったときに引張力が働いて抵抗する部材である。ここで、図１及び図２に記載している傘の親骨２２の本数が８本なので、傘裏返りストッパ１の引張紐１１も８本必要である。当然、親骨２２が８本以上の傘もあり、その場合は、引張紐１１の本数を親骨２２の本数と同じにすればよい。
【００１８】
固定紐１０に対して引張紐１１は、等間隔をあけて固着されている。固着というのは、固定紐１０に対してそれぞれの引張紐１１の位置が動かないように結合している状態である。固着の方法としては、縫付けでもよいし、接着剤等を用いてもよい。また、引張紐１１の方向は、固定紐１０に対して直角方向としておくとよい。
【００１９】
引張紐１１の間隔ｄは、傘２０の中棒２１の太さと親骨２２の本数から決定される。例えば、傘の中棒２１の円周の長さがＲで、親骨２２の本数が８本の場合は、引張紐１１の間隔ｄは、Ｒ／８となる。
【００２０】
固定紐１０の全長は、傘の中棒２１の円周の長さに余剰分の長さを足したものとなる。そして、その余剰分の先端に留め具１３を備えていることとする。留め具１３としては、固定紐１０を傘の中棒２１に巻き付けて固定できるものであれば、特に限定はしない。具体的な実施例を挙げると、図１に示したようなＣ字型のフックがよく、また、それ以外では面ファスナーなどでもよい。ここで、Ｃ字型のフックであれば、中棒２１に対して固定紐１０を余剰分を含めて複数回巻き付けて、Ｃ字型のフックをいずれかの引張紐１１に引っ掛けることで、固定紐１０を中棒２１に固定することができる。
【００２１】
引張紐１１の先端には、傘の露先２３に引っ掛けられる係止部１２を設けることとする。係止部１２の実施例として最も簡単なものは、引張紐１１の先端を結んで形成した輪部である。なお、輪部の径としては、露先２３に引っ掛け可能な大きさは必要であるが、容易に露先２３から外れない程度に小さくするのがよい。
【００２２】
係止部１２の別の実施例としては、図３及び図４に示す板部材を用いたものがある。図３は、板部材の斜視図である。また、図４は、板部材を有する傘裏返りストッパを傘に装着した状態を示す説明図である。この板部材１２は、樹脂製を基本とし、引張紐１１の先端を結びつける連結孔１２ａと、傘の露先２３を挿入する挿通孔１２ｂと、連結孔１２ａと挿通孔１２ｂとを隔てて板部材１２の両面の面外方向に突出した仕切り部１２ｃと、を有する部材である。仕切り部１２ｃを設ける理由としては、露先２３に流れてきた雨水が、露先２３から引張紐１１を伝って、傘の中棒２１が濡れるのを防ぐためである。
【００２３】
図４の拡大部分に示すように、仕切り部１２ｃは連結孔１２ａと挿通孔１２ｂを隔てているので、露先２３に流れてきた雨水は仕切り部１２ｃから落下し、連結孔１２ａ側まで雨水が伝わらないことになる。引張紐１１や中棒２１が濡れてしまうと、手元が濡れるだけでなく、傘２０を畳んだときに、傘２０の内側が濡れてしまうことになるので、引張紐１１が濡れないようにすることは、重要である。
【００２４】
なお、係止部１２ｃとしては、このような輪部や板部材に限定するものではなく、露先２３に係止できる構造であれば、クリップのような部材でもよいし、素材も錆びないものであれば特に限定はしない。
【００２５】
傘裏返りストッパ１の傘２０への装着手順としては、最初に露先２３に係止部１２を順番に係止させ、その後、固定紐１０を引っ張りながら中棒２１に固定するのがよい。そうすれば、引張紐１１を中棒２１に少し巻き付けることになり、すべての引張紐１１に引張力を作用させることができる。また、本考案の傘裏返りストッパ１は、すべての部材が繋がっている一体的な構造のため、装着の際にバラバラにならず取り扱いが比較的容易であり、また、保管するときにも一部の部材が失われるといった心配もない。また、既存の傘に装着自在な構造のため、高価な傘を新たに購入する必要はなく、資源を有効に活用することができる。
【００２６】
そして、こうした傘裏返りストッパを用いれば傘が裏返ることを防止できるので、暴風雨のときにも濡れることを回避することができ、また、傘が壊れるのを減らすことができるので、傘の廃棄量を減少させることにも貢献できる。
【符号の説明】
【００２７】
１ 傘裏返りストッパ
１０ 固定紐
１１ 引張紐
１２ 係止部（板部材）
１２ａ 連結孔
１２ｂ 挿通孔
１２ｃ 仕切り部
１３ 留め具
２０ 傘
２１ 中棒
２２ 親骨
２３ 露先
【図１】
0003226371.tif 000003
【図２】
0003226371.tif 000004
【図３】
0003226371.tif 000005
【図４】
0003226371.tif 000006
【図５】
0003226371.tif 000007